(57)【要約】【課題】簡単な構造で高い改ざん防止効果を有し、吊下片を設けて吊り下げが可能であり、自立用突起を設けて自立も可能な包装用箱を提供する。【解決手段】背面１４と、底面１６と、正面１８と、上面２０が互いに平行に順に連接して折罫線で各々区切られて形成されている。背面１４の連接方向の側縁部には吊下用の透孔３４を有する吊下片３０を有する。上面２０の連接方向の側縁部には吊下片３０に糊付けされる糊付片８４を備える。背面１４には底面１６側に突出し底面１６との境界である折罫線２２に達するコの字形の破断線４４を備える。底面１６の一対の折罫線２２，２４には、底面１６側へ突出するコの字形の切断線４９，８２，８４を備える。切断線４９，８２，８４の内側は、組立状態で背面１４及び正面１８と面一に連続し底面１６の下方に突出する自立用突起４７，７６，７８となる。【選択図】図１
2014024568.tif 000002
【特許請求の範囲】
【請求項１】
一枚のブランクシートから一体的に打ち抜かれた箱体形成片から成り、前記箱体形成片には、背面と、底面と、正面と、上面が互いに平行に順に連接して折罫線で各々区切られて形成されている包装用箱において、
前記背面の連接方向の側縁部には吊下用の透孔を有する吊下片が設けられ、前記上面の連接方向の側縁部には前記吊下片に糊付けされる糊付片が設けられ、前記背面には前記底面側に突出し前記底面との境界である折罫線に達するコの字形の破断線が設けられ、前記底面の、前記背面及び前記正面との境界である一対の折罫線には、前記底面側へ突出するコの字形の切断線が各々設けられ、前記切断線の内側は、前記包装用箱の組立状態で、前記背面及び前記正面と面一に連続し前記底面の下方に突出する自立用突起となり、前記自立用突起は前記包装用箱の重心を囲んで設けられ、前記背面との境界である前記折罫線に設けられた切断線は、前記背面の前記破断線に連続して開封用の突起となり、前記背面と、前記底面と、前記正面と、前記上面の連接方向の幅方向の端部には、開封が困難な改ざん防止手段が設けられていることを特徴とする包装用箱。
【請求項２】
前記改ざん防止手段は、前記背面と、前記底面と、前記正面と、前記上面を筒状に組み立てた状態で互いに平行に位置する一対のフラップと、前記フラップの外側に重ねられる内蓋片と、前記内蓋片の外側に重ねられ互いに係合される外蓋片が各々設けられ、前記内蓋片には係止用切込線が設けられ、前記外蓋片には前記内蓋片の前記係止用切込線に差し込まれる係止用突起が設けられている請求項１記載の包装用箱。
【請求項３】
前記底面の前記自立用突起は、前記背面との間の前記折罫線上に１個と、前記正面との間の前記折罫線上に２個設けられている請求項１記載の包装用箱。
【発明の詳細な説明】
【技術分野】
【０００１】
この発明は、箱体形成片と一体に、吊下片と自立用突起、開封用突起が設けられている包装用箱に関する。
【背景技術】
【０００２】
従来、商品を収容して店頭に陳列する包装用箱には、吊り下げて陳列するための吊下片や自立して陳列するための自立用突起が、箱本体から突出して設けられたものがある。また、開封を容易にするために、破断線で形成された開封口が設けられているものがある。
【０００３】
特許文献１に開示されている不正開封防止箱は、四角筒形に組み立てられた４個の側面と、この一側面の開口端部に設けられ先端に差込片を有する蓋板が設けられている。この蓋板は差込片を対向する側面の開口端部に差し込んで四角筒形の開口部を閉鎖している。この差込片が差し込まれる側面の開口端部には、開口端部から側面の内側に延びる２本のミシン線と、このミシン線の端部同士を結ぶ基部線とによって区画形成されるつまみ片が設けられている。そして、差込片を側面の開口端部に差し込んだ状態で、差込片とつまみ片が接着される。開封する時は、つまみ片を指で摘み、ミシン線に沿って外方へ破って開き、差込片と側面との接着を解除して、蓋板を開けるものである。
【０００４】
また、特許文献２に開示されている紙カートンは、四角形に組み立てられた４個の側面が設けられ、互いに対向する一対の側面の開口端部にはそれぞれフラップが設けられ、フラップが設けられていない一方の側面には上面側端面パネルが設けられ、対向する側面には底面側端面パネルが設けられている。底面側端面パネルが設けられている側面には、境界線上の離間した２点を結ぶ押切用切れ目線により底面側端面パネルに隣接する押込部分が区画され、前記押込部分の前記２点からそれぞれ側方の端縁にまで延びる２本の切開用切れ目線が設けられている。各フラップには、底面側端面パネルの切開用切れ目線と近接する分離用切れ目線が形成されている。組み立て工程で、まず一対のフラップを折り曲げその外側に上面側端面パネルを折り曲げて糊付けし、さらにその外側に底面側端面パネルを折り曲げて糊付けする。開封する時は、押込部分を指で押し破り、そのまま押込み部分と上面側端面パネルを指先で挟んで摘むようにして押し開くことで、カートンの端面を開口する。
【先行技術文献】
【特許文献】
【０００５】
【特許文献１】特開平８−２９５３３２号公報
【特許文献２】特開２０１０−５２７５９号公報
【発明の概要】
【発明が解決しようとする課題】
【０００６】
上記背景技術のいずれの場合も、陳列のために自立させる構造や吊り下げる構造は考えられていないものであった。また、開封口が箱体形成片の端部にあるため、糊を剥がして開封して再び糊付けする等、上手に改ざんされる恐れがあった。さらに、組み立てる際は、糊付けされた４つの側面の折罫線を９０°に折って筒体に形成した後、商品を入れてから筒体の開口部を蓋板等で糊付けするため、作業工程が面倒という問題もあった。
【０００７】
この発明は、上記背景技術の問題点に鑑みてなされたものであり、簡単な構造で高い改ざん防止効果を有し、吊下片を設けて吊り下げが可能であり、自立用突起を設けて自立も可能な包装用箱を提供することを目的とする。
【課題を解決するための手段】
【０００８】
本発明は、一枚のブランクシートから一体的に打ち抜かれた箱体形成片から成り、前記箱体形成片には、背面と、底面と、正面と、上面が互いに平行に順に連接して折罫線で各々区切られて形成されている包装用箱であり、前記背面の連接方向の側縁部には吊下用の透孔を有する吊下片が設けられ、前記上面の連接方向の側縁部には前記吊下片に糊付けされる糊付片が設けられ、前記背面には前記底面側に突出し前記底面との境界である折罫線に達するコの字形の破断線が設けられ、前記底面の、前記背面及び前記正面との境界である一対の折罫線には、前記底面側へ突出するコの字形の切断線が各々設けられ、前記切断線の内側は、前記包装用箱の組立状態で、前記背面及び前記正面と面一に連続し前記底面の下方に突出する自立用突起となり、前記自立用突起は前記包装用箱の重心を囲んで設けられ、前記背面との境界である前記折罫線に設けられた切断線は、前記背面の前記破断線に連続して開封用の突起となり、前記背面と、前記底面と、前記正面と、前記上面の連接方向の幅方向の端部には、開封が困難な改ざん防止手段が設けられている。
【０００９】
前記改ざん防止手段は、前記背面と、前記底面と、前記正面と、前記上面を筒状に組み立てた状態で互いに平行に位置する一対のフラップと、前記フラップの外側に重ねられる内蓋片と、前記内蓋片の外側に重ねられ互いに係合される外蓋片が各々設けられ、前記内蓋片には係止用切込線が設けられ、前記外蓋片には前記内蓋片の前記係止用切込線に差し込まれる係止用突起が設けられている。
【００１０】
前記底面の前記自立用突起は、前記背面との間の前記折罫線上に１個と、前記正面との間の前記折罫線上に２個設けられている。
【００１１】
前記糊付片は、前記吊下片と同形状であり、前記吊下片と一致する位置に透孔が設けられている。
【発明の効果】
【００１２】
本発明の包装用箱は、自立用突起が重心の周りに３個設けられて、安定して自立して陳列することができ、１個の自立用突起は開封用の破断線に連続して開封用の摘み部となり、構造が簡単で、容易に開封され便利である。開封用の摘み部となる自立用突起は、包装用箱を形成する箱体形成片の中心付近に設けられ、開封するときは連続する破断線を切断しなければならず、開封されたあとが残り高い改ざん防止効果を有している。また、吊下片を設けて吊り下げ可能とし、自立用突起を設けて薄い箱体でも自立可能とし、自由に店頭に陳列することができる
【図面の簡単な説明】
【００１３】
【図１】この発明の一実施形態の包装用箱を示す斜視図である。
【図２】この発明の一実施形態の包装用箱を示す斜視図である。
【図３】この発明の一実施形態の包装用箱の開封する状態を示す斜視図である。
【図４】この発明の一実施形態の包装用箱の展開図である。
【発明を実施するための形態】
【００１４】
以下、この発明の実施形態について図面に基づいて説明する。図１〜図４はこの発明の一実施形態を示すもので、この実施形態の包装用箱１０は、紙製等の一枚のブランクシートを打ち抜いて形成された箱体形成片１２を組み立てて設けられている
図４は、箱体形成片１２を表面から見た展開図であり、箱体形成片１２は、商品を包装する背面１４，底面１６，正面１８，上面２０が、互いに平行に連接して形成されている。背面１４，底面１６，正面１８，上面２０は、連接している幅方向は同じ長さであり、連接方向の長さは背面１４，正面１８が長くて互いにほぼ等しく、底面１６，上面２０が短くて互いにほぼ等しい。背面１４，底面１６，正面１８，上面２０は、各々折罫線２２，２４，２６で区切られて設けられている。
【００１５】
背面１４の、折罫線２２と反対側の側縁部には、吊下片３０が折罫線３２で区切られて設けられている。吊下片３０は、背面１４とは連接している幅方向は同じ長さであり、連接方向の長さは背面１４よりも大きい矩形である。吊下片３０は、包装用箱１０の組み立て状態で背面１４と面一に上方に延出している。吊下片３０の、折罫線３２より遠い側縁部３０ａに近い位置に、吊下用の透孔３４が設けられている。
【００１６】
背面１４において、吊下片３０、底面１６との連接方向に対して直角な方向の一方の端部には、矩形の内蓋片３６が折罫線３８で区切られて設けられている。内蓋片３６は、折罫線３８から折罫線３８と反対の端部までの長さは、包装用箱１０の箱体の厚さ、つまり底面１６の連接方向の長さよりもわずかに短い。背面１４の、折罫線３８と反対側の端部には、内蓋片３６と同形状の内蓋片４０が折罫線４２で区切られて設けられている。
【００１７】
背面１４には、折罫線３８，２２，４２に沿って開封用の破断線４４がコの字形に設けられている。破断線４４は、折罫線２２の両端部の角部は斜めに切り欠いたように内側を通過して設けられている。折罫線３８の中心付近には、破断線４４の途中に、後述する差込片６２が差し込まれる係止用切込線４６が設けられている。係止用切込線４６は、折罫線３８よりも少し内蓋片３６側にずれて設けられ、包装用箱１０の組み立て状態で折罫線３８を９０°に折り曲げたとき、背面１４に面一に連続する小さい突起が形成され、係止用突起６２の差し込みを容易にする。折罫線４２の中心付近にも、破断線４４の途中に、後述する差込片７２が差し込まれる係止用切込線４８が設けられている。係止用切込線４８は、折罫線４２よりも少し内蓋片４０側にずれて設けられ、包装用箱１０の組み立て状態で、背面１４に面一に連続する小さい突起が形成される。
【００１８】
折罫線２２の中心には、破断線４４の途中に、自立用突起４７を形成する略台形の切断線４９が設けられている。切断線４９は、台形の上底が底面１６側に突出して位置し、包装用箱１０の組み立て状態で折罫線２２を９０°に折り曲げたとき、切断線４９の内側が台形状の自立用突起４７となり、背面１４に連続して底面１６の下方に突出する。
【００１９】
底面１６の、背面１４の折罫線３８に隣接する端部には、矩形のフラップ５０が折罫線５２で区切られて設けられている。底面１６の、折罫線５２と反対側の端部には、フラップ５０とほぼ同形のフラップ５４が折罫線５６で区切られて設けられている。
【００２０】
正面１８の、底面１６の折罫線５２に隣接する端部には、包装用箱１０の組立状態で内蓋片３６の外側に重ねられる外蓋片５８が折罫線６０で区切られて設けられている。外蓋片５８は、折罫線６０から折罫線６０と反対の端部５８ａまでの長さは、包装用箱１０の箱体の厚さ、つまり底面１６の連接方向の長さよりもわずかに短い。外蓋片５８の、折罫線６０と反対側の端部５８ａの中心には、係止用突起６２が設けられている。係止用突起６２は、端部５８ａから離れるに従って細くなる台形状であり、端部５８ａに接している基端部は、両側に所定長さの切込線６６が端部５８ａに沿って設けられている。切込線６６は、係止用突起６２の内側で９０°に折り曲げられて端部５８ａに対して約直角に交差して外蓋片５８の内側に延出し、外蓋片５８に延出した一対の端部は端部５８ａに対して平行な折罫線６４で連結されている。
【００２１】
正面１８の、折罫線６０と反対側の端部には、包装用箱１０の組立状態で内蓋片４０の外側に重ねられ外蓋片５８とほぼ同じ形状の外蓋片６８が折罫線７０で区切られて設けられている。外蓋片６８は、折罫線７０から折罫線７０と反対の端部６８ａまでの長さは、包装用箱１０の箱体の厚さ、つまり底面１６の連接方向の長さよりもわずかに長い。外蓋片６８の、折罫線７０と反対側の端部６８ａの中心には、係止用突起６２とほぼ同じ形状の係止用突起７２が設けられている。係止用突起７２は台形状であり、端部６８ａに接している基端部に切込線７４が設けられ、切込線７４は、蓋片６８の内側に突出し、外蓋片６８に突出した一対の端部は端部６８ａに対して平行な折罫線７５で連結されている。
【００２２】
正面１８の、折罫線２４の途中の２か所には、自立用突起４７と同形の自立用突起７６，７８を形成する略台形状の切断線８０，８２が設けられている。切断線８０，８２は、台形の上底が底面１６側に突出して位置し、包装用箱１０の組み立て状態で折罫線２４を９０°に折り曲げたとき、切断線８０，８２の内側が台形状の自立用突起７６，７８となり、正面１８に連続して底面１６の下方に突出する。
【００２３】
上面２０の、正面１８の折罫線６０に隣接する端部には、矩形のフラップ７７が折罫線７９で区切られて設けられている。上面２０の、折罫線７９と反対側の端部には、フラップ７７とほぼ同形のフラップ８１が折罫線８３で区切られて設けられている。上面２０の、折罫線２６と反対側の側縁部には、吊下片３０とほぼ同形の糊付片８４が折罫線８６で区切られて設けられている。糊付片８４は、包装用箱１０の組み立て状態で吊下片３０に接着されて背面１４と面一に上方に延出する。糊付片８４の、折罫線８６より遠い側縁部８４ａに近い位置に、吊下片３０の透孔３４と同じ位置に吊下用の透孔８８が設けられている。
【００２４】
次に、この実施形態の包装用箱１０の組立方法の一例について説明する。なお、ここでは図４が包装用箱１０の箱体形成片１２の表面を見たものであり、箱体形成片１２の表面が凸になる折り方を正折り、そして裏面が凸になる折り方を逆折りと称する。
【００２５】
まず、吊下片３０の裏面に糊９０を塗布する。糊９０は、吊下片３０の中心よりも透孔３４に近い位置に、折罫線３２に対して平行に細長く塗布される。そして、折罫線２４を正折りして吊下片３０と糊付片８４の裏面どうしを重ね、糊９０で糊付けする。なお、吊下片３０の透孔３４と、糊付片８４の透孔８８が一致し、吊り下げ用としてフックなどに掛けることができる。これにより折りたたみ状態となり、この状態で出荷される。
【００２６】
次に、商品を収容し包装する工場等において、折罫線２２，２４，２６を各々９０°に正折りし、折罫線８６を９０°に逆折りして、背面１４，底面１６，正面１８，上面２０を四角形の筒体にする。このとき、折罫線２２に位置する切断線４９は、底面１６から開かれて、切断線４９の内側の自立用突起４７が背面１４と面一になり、底面１６に対して直角に下方に突出する。また、折罫線２４の切断線８０，８２も同様に、底面１６から開かれて、切断線８０，８２の内側の自立用突起７６，７８が正面１８と面一になり、底面１６に対して直角に下方に突出する。
【００２７】
そして、背面１４，底面１６，正面１８，上面２０を組み立てた筒体の一方の端部で、折罫線５２，７９でフラップ５０，７７を９０°に正折りし、次に折罫線３８で内蓋片３６を９０°に正折りする。そして、折罫線６０で外蓋片５８を９０°に正折りし、係止用突起６２を折罫線６４で正折りし、内蓋片３６の係止用切込線４６に差し込んで係止し、一方の端部が形成される。係止用突起６２は、切込線６６が係止用切込線４６の周縁部に係止され、抜け落ちることがない。
【００２８】
この後、一方の端部が形成された状態で箱体の中に商品を入れ、開口している他方の端部で、折罫線５６，８３でフラップ５４，８１を９０°に正折りし、折罫線４２で内蓋片４０を９０°に正折りする。そして、折罫線７０で外蓋片６８を９０°に正折りし、係止用突起７２を折罫線７５で正折りし、内蓋片４０の係止用切込線４８に差し込んで係止し、端部が形成される。係止用突起７２は、切込線７４が係止用切込線４８の周縁部に係止され、抜け落ちることがない。これにより、図１、図２に示すように包装用箱１０の包装が完了する。
【００２９】
次に、包装用箱１０の使用方法について説明する。店頭で包装用箱１０を吊り下げて陳列する時は、吊下片３０の透孔３４と糊付片８４の透孔８８が一致し、ここを吊り下げ用としてフックなどに掛ける。棚等に置いて陳列する時は、底面１６を下に置くと、３個の自立用突起４７，７６，７８が重心を囲む脚部となって安定して自立する。包装用箱１０を開封する時は、自立用突起４７を摘んで、背面１４から引き起こし、自立用突起４７に連続する破断線４４を切断して、図３に示すように大きい開口部が形成される。
【００３０】
この実施形態の包装用箱１０によれば、簡単な構造で、組立方法が容易であり、吊下片３０と自立用突起４７，７６，７８を一体に設けて、自由にきれいに陳列することができる。吊下片３０に商品名や商品の説明を印刷してデザインスペースの面積を広く設けることができ、セルフセレクション販売に適したものである。底面１６には自立用突起４７，７６，７８が３個設けられて重心を囲む脚部となるため、厚みが小さく底面１６が細長い形状で底面１６が外側に湾曲する場合でも、自立用突起４７，７６，７８が棚等に当接して確実に自立させることができる。従って、吊下片３０で吊り下げるか、自立用突起４７，７６，７８で棚等に自立させるかを、周囲の状況に合わせて自由に変更することができる。開封する時は、自立用突起４７を摘んで引き上げて破断線４４を切断することで簡単に大きく開口させて中の商品を容易に取り出すことができる。自立用突起４７底面１６から下方に突出しているため、開封の始めに箱の内側に押し込む必要がなく、力が要らず、また中の商品を傷めるおそれがない。自立用突起４７は、箱体形成片１２の中間付近に設けられ、開封すると明らかに破断線４４が切断されて開封した跡が残り、不正に開封することができない。破断線４４を切断する他に、外蓋片５８，６８を開く方法があるが、外蓋片５８，６８は係止用突起６２，７２が係止用切込線４６，４８に係止されているため、開くことが困難で、無理に開くと破損するため、ここから不正に開封することができず高い改ざん防止効果を有するものである。
【００３１】
なお、この発明は上記実施形態に限定されるものではなく、吊下片の大きさや箱体の形状は、適宜変更可能である。箱体形成片の各部材の連接する順番は適宜変更可能であり、開封用の自立用突起が箱体形成片の中心付近に位置するものであればよい。開封する自立用突起と破断線は、背面以外に設けられてもよい。糊付片は、吊下片と同形状でなくてもよく、小さいものでもよい。自立用突起は台形以外でもよく、コの字形の切断線で形成される矩形等でもよい。開封用の破断線は、収容する商品の形状や大きさに合わせて適宜変更可能である。前記背面と、前記底面と、前記正面と、前記上面を筒状に組み立てた状態で端部を閉鎖する改ざん防止手段は、上記以外でもよい。
【符号の説明】
【００３２】
１０  包装用箱
１２  箱体形成片
１４  背面
１６  底面
１８  正面
２０  上面
２２，２４，３８，４２  折罫線
３０  吊下片
３４，８８  透孔
３６，４０  内蓋片
４４  破断線
４６，４８  係止用切込線
４９，８０，８２  切断線
４７，７６，７８  自立用突起
５０，５４，７７，８１  フラップ
５８，６８  外蓋片
６２，７２  係止用突起
８４  糊付片
【図１】
2014024568.tif 000003
【図２】
2014024568.tif 000004
【図３】
2014024568.tif 000005
【図４】
2014024568.tif 000006